(57)【要約】【課題】トランスにおける複数の引出端子の間の絶縁を確保しつつ、小型化を図りやすい電源装置を提供すること。【解決手段】電源装置は、トランス２と、トランス２の一次コイル２１側に接続された一次側回路を構成する一次側半導体部品と、トランス２の二次コイル２２側に接続された二次側回路を構成する二次側半導体部品と、二次側半導体部品に接続されたチョークコイルと、トランス２、一次側半導体部品、二次側半導体部品、及びチョークコイルを搭載したベースプレートと、を備えている。一次コイル２１及び二次コイル２２からそれぞれ引き出された複数の引出端子２３は、トランス２における同じ側から引き出されている。複数の引出端子２３の少なくとも一つは、他の少なくとも一つの引出端子２３に対して、横方向Ｙにずれていると共に軸方向Ｚにもずれている。【選択図】図３
2015201961.tif 000002
【特許請求の範囲】
【請求項１】
一次コイル（２１）と二次コイル（２２）とを有するトランス（２）と、
該トランス（２）の上記一次コイル（２１）側に接続された一次側回路を構成する一次側半導体部品（３）と、
上記トランス（２）の上記二次コイル（２２）側に接続された二次側回路を構成する二次側半導体部品（４）と、
上記二次側半導体部品（４）に接続されたチョークコイル（５）と、
上記トランス（２）、上記一次側半導体部品（３）、上記二次側半導体部品（４）、及び上記チョークコイル（５）を搭載したベースプレート（６）と、を備え、
上記一次コイル（２１）及び上記二次コイル（２２）からそれぞれ引き出された複数の引出端子（２３）は、上記トランス（２）における同じ側から引き出されており、
上記複数の引出端子（２３）の少なくとも一つは、他の少なくとも一つの上記引出端子（２３）に対して、引出方向（Ｘ）と上記トランスの軸方向（Ｚ）との双方に直交する横方向（Ｙ）にずれていると共に、上記軸方向（Ｚ）にもずれていることを特徴とする電源装置（１）。
【請求項２】
上記引出端子（２３）は、上記横方向（Ｙ）の幅よりも、上記軸方向（Ｚ）の厚みの方が小さい断面形状を有することを特徴とする請求項１に記載の電源装置（１）。
【請求項３】
上記軸方向（Ｚ）から見たとき、上記複数の引出端子（２３）は、上記横方向（Ｙ）に並んだ配置となっていることを特徴とする請求項１又は２に記載の電源装置（１）。
【請求項４】
上記軸方向（Ｚ）から見て上記横方向（Ｙ）に隣り合う上記引出端子（２３）同士が、互いに上記軸方向（Ｚ）にずれた配置となっていることを特徴とする請求項３に記載の電源装置（１）。
【請求項５】
上記軸方向（Ｚ）から見たとき、上記複数の引出端子（２３）は、互いに重なることなく上記横方向（Ｙ）に並んだ配置となっていることを特徴とする請求項３又は４に記載の電源装置（１）。
【請求項６】
上記軸方向（Ｚ）は、上記ベースプレート（６）の法線方向であることを特徴とする請求項１〜５のいずれか一項に記載の電源装置（１）。
【請求項７】
上記二次コイル（２２）から引き出された上記引出端子（２３）である二次引出端子（２３２）のうちの少なくとも一つは、上記一次コイル（２１）から引き出された上記引出端子（２３）である一次引出端子（２３１）よりも、上記ベースプレート（６）に近い位置に配置されていることを特徴とする請求項６に記載の電源装置（１）。
【請求項８】
上記トランス（２）と、上記一次側半導体部品（３）と、上記二次側半導体部品（４）と、上記チョークコイル（５）とのうちのいずれか２つを上記軸方向（Ｚ）に積層した第１積層体（１１）と、他の２つを上記軸方向（Ｚ）に積層した第２積層体（１２）とを有することを特徴とする請求項１〜７のいずれか一項に記載の電源装置（１）。
【発明の詳細な説明】
【技術分野】
【０００１】
本発明は、トランスを備えた電源装置に関する。
【背景技術】
【０００２】
ＤＣ−ＤＣコンバータ等の電源装置として、一次コイルと二次コイルとを有するトランスを備えたものがある。トランスは、一次コイル及び二次コイルから引き出された複数の引出端子を有し、該引出端子において他の部品と接続されている。かかるトランスの構成として、例えば特許文献１には、トランスにおける同じ側から、一次コイル及び二次コイルの引出端子が引き出されている構成が開示されている。これにより、複数の引出端子をトランスにおける同じ側に集約することができ、電源装置の小型化を図りやすい。
【先行技術文献】
【特許文献】
【０００３】
【特許文献１】特開２０１２−１６４９２８号公報
【発明の概要】
【発明が解決しようとする課題】
【０００４】
しかしながら、トランスにおける同じ側から複数の引出端子を引き出す場合、複数の引出端子の間の距離が接近しやすくなる。それゆえ、引出端子の配置の仕方によっては、トランスの複数の引出端子の間の絶縁を充分に確保することが困難となる。
【０００５】
本発明は、かかる背景に鑑みてなされたものであり、トランスにおける複数の引出端子の間の絶縁を確保しつつ、小型化を図りやすい電源装置を提供しようとするものである。
【課題を解決するための手段】
【０００６】
本発明の一態様は、一次コイルと二次コイルとを有するトランスと、
該トランスの上記一次コイル側に接続された一次側回路を構成する一次側半導体部品と、
上記トランスの上記二次コイル側に接続された二次側回路を構成する二次側半導体部品と、
上記二次側半導体部品に接続されたチョークコイルと、
上記トランス、上記一次側半導体部品、上記二次側半導体部品、及び上記チョークコイルを搭載したベースプレートと、を備え、
上記一次コイル及び上記二次コイルからそれぞれ引き出された複数の引出端子は、上記トランスにおける同じ側から引き出されており、
上記複数の引出端子の少なくとも一つは、他の少なくとも一つの上記引出端子に対して、引出方向と上記トランスの軸方向との双方に直交する横方向にずれていると共に、上記軸方向にもずれていることを特徴とする電源装置にある。
【発明の効果】
【０００７】
上記電源装置においては、一次コイル及び二次コイルからそれぞれ引き出された複数の引出端子が、トランスにおける同じ側から引き出されている。これにより、複数の引出端子をトランスにおける同じ側に集約することができ、電源装置の小型化を図りやすくなる。
【０００８】
そして、複数の引出端子の少なくとも一つは、他の少なくとも一つの上記引出端子に対して、上記横方向にずれていると共に、上記軸方向にもずれている。これにより、複数の引出端子の間の間隔を広く確保しやすい。その結果、引出端子同士の間の絶縁を充分に確保することができる。すなわち、複数の引出端子をトランスにおける同じ側から引き出す構成は、複数の引出端子の間が接近しやすい構成でもある。しかしながら、複数の引出端子の少なくとも一つを、他の少なくとも一つの引出端子に対して上記軸方向と上記横方向とにずれた配置とすることで、引出端子の間の距離を確保しやすくなり、引出端子の間の絶縁を確保することができる。
【０００９】
以上のごとく、本発明によれば、トランスにおける複数の引出端子の間の絶縁を確保しつつ、小型化を図りやすい電源装置を提供することができる。
【図面の簡単な説明】
【００１０】
【図１】実施例１における、ベースプレートに平行な方向から見た電源装置の説明図。
【図２】実施例１における、ベースプレートに垂直な方向から見た電源装置の説明図。
【図３】実施例１における、トランスの正面図。
【図４】実施例１における、トランスの側面図。
【図５】実施例１における、トランスの平面図。
【図６】実施例１における、電源装置の回路図。
【図７】複数の引出端子を軸方向にずらすことなく横方向に並べた状態を示す説明図。
【図８】実施例２における、トランスの正面図。
【図９】実施例３における、ベースプレートに平行な方向から見た電源装置の説明図。
【図１０】実施例４における、ベースプレートに垂直な方向から見た電源装置の説明図。
【図１１】実施例５における、複数の引出端子の配置の説明図。
【図１２】実施例５における、複数の引出端子の他の配置の説明図。
【発明を実施するための形態】
【００１１】
上記電源装置は、例えば、直流電源の高圧の直流電力を降圧して低圧の直流電力に変換するＤＣ−ＤＣコンバータとすることができる。また、上記電源装置は、例えば電気自動車やハイブリッド自動車に搭載するものとすることができる。
なお、本明細書において、「軸方向」とは、特に断らない限り、トランスの軸方向を意味し、トランスを構成する一次コイル及び二次コイルの巻回軸の方向を意味する。また、特に断らない限り、「引出方向」とは、トランスからの引出端子の引出方向を意味し、「横方向」とは、軸方向と引出方向との双方に直交する方向を意味する。
【００１２】
また、上記引出端子は、上記横方向の幅よりも、上記軸方向に平行な方向の厚みの方が小さい断面形状を有することが好ましい。この場合には、特に、複数の引出端子の少なくとも一つを、他の少なくとも一つの引出端子に対して軸方向にずれた配置とすることによる利点が大きい。すなわち、上記のような断面形状を有する引出端子を、横方向に複数並べて配置すると、横方向において、隣り合う引出端子の間の距離を確保し難い。そこで、上記のように、少なくとも一つの引出端子を他の引出端子に対して、軸方向すなわち引出端子の厚み方向にずらすことで、引出端子の幅方向におけるスペースを確保して、引出端子の間の距離を確保することができる。
【００１３】
また、上記軸方向から見たとき、上記複数の引出端子は、上記横方向に並んだ配置となっていることが好ましい。この場合には、横方向の空間を有効利用して、複数の引出端子の間の距離を効率的に確保することができる。
【００１４】
また、上記軸方向から見て上記横方向に隣り合う上記引出端子同士が、互いに上記軸方向にずれた配置となっていることが好ましい。この場合には、横方向に隣り合う引出端子同士の間の距離を、より効果的に確保することができる。
【実施例】
【００１５】
（実施例１）
上記電源装置の実施例につき、図１〜図６を用いて説明する。
本例の電源装置１は、図１、図２に示すごとく、トランス２と一次側半導体部品３と二次側半導体部品４とチョークコイル５とベースプレート６とを備えている。
トランス２は、図３に示すごとく、一次コイル２１と二次コイル２２とを有する。図６に示すごとく、一次側半導体部品３は、トランス２の一次コイル２１側に接続された一次側回路を構成する。二次側半導体部品４は、トランス２の二次コイル２２側に接続された二次側回路を構成する。チョークコイル５は、二次側半導体部品４に接続されている。図１、図２に示すごとく、ベースプレート６は、トランス２、一次側半導体部品３、二次側半導体部品４、及びチョークコイル５を搭載している。
【００１６】
図３〜図５に示すごとく、一次コイル２１及び二次コイル２２からそれぞれ引き出された複数の引出端子２３は、トランス２における同じ側から引き出されている。
複数の引出端子２３の少なくとも一つは、他の少なくとも一つの引出端子２３に対して、引出方向Ｘとトランス２の軸方向Ｚとの双方に直交する横方向Ｙにずれていると共に、軸方向Ｚにもずれている。
【００１７】
引出端子２３の少なくとも一つは、一次コイル又は二次コイルの本体部との付け根部分から先端までにわたり、他の少なくとも一つの引出端子２３に対して、横方向Ｙと軸方向Ｚとにずれている。
【００１８】
本例においては、図５に示すごとく、軸方向Ｚから見たとき、複数の引出端子２３は、横方向Ｙに並んだ配置となっている。また、軸方向Ｚから見て横方向Ｙに隣り合う引出端子２３同士は、図３に示すごとく、互いに軸方向Ｚにずれた配置となっている。また、図３、図５に示すごとく、軸方向Ｚから見たとき、複数の引出端子２３は、互いに重なることなく横方向Ｙに並んだ配置となっている。
【００１９】
また、引出端子２３は、横方向Ｙの幅よりも、軸方向Ｚの厚みの方が小さい断面形状を有する。より具体的には、引出端子２３は、引出方向Ｘに直交する断面の形状において略長方形状を有する平角導線からなり、その主面の方向が軸方向Ｚを向いている。つまり、引出端子２３は幅方向が横方向Ｙとなるように配置されている。
【００２０】
また、図３〜図５に示すごとく、トランス２は、互いに軸方向Ｚに積層された一次コイル２１と二次コイル２２とを、軸方向Ｚの両側からコア２４によって挟持した構成となっている。また、コア２４は、一次コイル２１及び二次コイル２２の内周側及び外周側の一部にも配される。また、コア２４は略直方体形状を有し、トランス２の外形も略直方体形状を有する。この略直方体形状の一つの面から、複数の引出端子２３が同じ方向に突出している。
【００２１】
また、トランス２は、図１、図２に示すごとく、ベースプレート６上に配置されているが、トランス２の一次コイル２１及び二次コイル２２の巻回軸方向がベースプレート６の法線方向となるように、配置されている。つまり、本例においては、軸方向Ｚがベースプレート６の法線方向となっている。
【００２２】
図３に示すごとく、二次コイル２２から引き出された引出端子２３である二次引出端子２３２のうちの少なくとも一つは、一次コイル２１から引き出された引出端子２３である一次引出端子２３１よりも、ベースプレート６に近い位置に配置されている。本例においては、二次引出端子２３２のすべてが、一次引出端子２３１よりも、ベースプレート６に近い位置に配置されている。
【００２３】
また、図１、図２に示すごとく、電源装置１は、トランス２と、一次側半導体部品３と、二次側半導体部品４と、チョークコイル５とのうちのいずれか２つを軸方向Ｚに積層した第１積層体１１と、他の２つを軸方向Ｚに積層した第２積層体１２とを有する。本例においては、一次側半導体部品３とトランス２とが互いに積層されて、第１積層体１１を構成している。また、二次側半導体部品４とチョークコイル５とが互いに積層されて、第２積層体１２を構成している。
【００２４】
第１積層体１１の積層方向も、第２積層体１２の積層方向も、トランス２の軸方向Ｚと一致し、また、ベースプレート６の法線方向と一致する。第１積層体１１は、一次側半導体部品３がトランス２とベースプレート６との間に配置されるように積層され、第２積層体１２は、二次側半導体部品４がチョークコイル５とベースプレート６との間に配置されるように積層されている。
【００２５】
また、一次側半導体部品３を直流電源に接続する一次直流配線７１ｄｃと、一次側半導体部品３とトランス２とを接続する一次交流配線７１ａｃとは、第１積層体１１における互いに異なる面に対向する位置に配されている。トランス２の複数の引出端子２３のうち、一次コイル２１から引き出された２本の一次引出端子２３１は、一次交流配線７１ａｃの一部を構成している。
【００２６】
また、トランス２の複数の引出端子２３のうち、二次コイル２２から引き出された３本の二次引出端子２３２のうちの２本は、トランス２と二次側半導体部品４とを接続する二次交流配線７２ａｃの一部を構成している。また、３本の二次引出端子２３２のうちの１本は、接地された接地端子２３３であり、ベースプレート６に接続されている。なお、この引出端子２３（接地端子２３３）は、直接ベースプレート６に接続されていてもよいし、他の導電部材を介してベースプレート６に接続されていてもよい。
【００２７】
また、各引出端子２３と、一次側半導体部品３又は二次側半導体部品４とは、例えば、溶接、ネジ締結等によって接続されている。また、各引出端子２３は、一次側半導体部品３又は二次側半導体部品４の端子に直接接続さてもよいし、他の導電部材を介して接続されていてもよい。
【００２８】
図３〜図５に示すごとく、二次引出端子２３２は、トランス２における一次引出端子２３１と同じ側から引き出されている。すなわち、２本の一次引出端子２３１と３本の二次引出端子２３２とは、いずれもトランス２の同じ側から引き出されている。そして、これらの引出端子２３は、互いに平行に配置されている。
これにより、図１、図２に示すごとく、一次交流配線７１ａｃ及び二次交流配線７２ａｃは、第１積層体１１における同じ側に配置することができる。そして、一次交流配線７１ａｃ及び二次交流配線７２ａｃは、第１積層体１１と第２積層体１２との間に配置されている。
【００２９】
また、第２積層体１２を構成する二次側半導体部品４とチョークコイル５とをつなぐ二次直流配線７２ｄｃと、一次交流配線７１ａｃ及び二次交流配線７２ａｃとは、第２積層体１２における互いに異なる面に対向する位置に配されている。
【００３０】
図１、図２に示すごとく、チョークコイル５からは、電源装置１の出力端子に接続する出力直流配線７３ｄｃが延びている。出力直流配線７３ｄｃは、第２積層体１２における二次直流配線７２ｄｃと同じ面側に配されている。
【００３１】
また、トランス２からの引出端子２３の引出方向Ｘは、ベースプレート６に平行な方向となっている。なお、ベースプレート６は、例えばアルミニウム等の金属によって構成することができる。
【００３２】
本例において、電源装置１は、ＤＣ−ＤＣコンバータであり、例えば電気自動車やハイブリッド自動車に搭載され、直流電源の高圧の直流電力を低圧の直流電力に降圧し、補機用バッテリに供給するために用いられる。すなわち、図６に示すように、電源装置１は、直流電源１３１と負荷１３２（補機バッテリ等）との間に接続されて用いられる。そして、直流電源１３１に、一次側半導体部品３から構成される一次側回路が接続され、二次側半導体部品４から構成される二次側回路が、チョークコイル５を含む平滑回路を介して、負荷１３２に接続される。
【００３３】
一次側回路はスイッチング回路を構成しており、一次側半導体部品３は、複数のスイッチング素子を内蔵した半導体モジュールからなる。スイッチング素子としては、例えばＩＧＢＴ（絶縁ゲートバイポーラトランジスタ）又はＭＯＳＦＥＴ（ＭＯＳ型電界効果トランジスタ）を用いることができる。なお、一次側半導体部品は必ずしも半導体モジュールである必要はなく、例えば、ディスクリートの半導体部品であってもよい。
【００３４】
二次側回路は整流回路を構成しており、二次側半導体部品４は、複数のダイオードを内蔵したダイオードモジュールからなる。ただし、二次側半導体部品は、複数のＭＯＳＦＥＴを内蔵した半導体モジュールであってもよい。さらに、二次側半導体部品は、ディスクリートの半導体部品であってもよい。
【００３５】
また、チョークコイル５は、コンデンサ１３３と共に平滑回路を構成している。
本例の電源装置１に入力された直流電力は、一次側回路（スイッチング回路）において交流電力に変換されて、トランス２に入力される。入力された交流電力は、トランス２において降圧された後、二次側回路（整流回路）において整流されて直流電力となる。そして、降圧後の直流電力は、平滑回路において平滑化された後、出力される。
【００３６】
次に、本例の作用効果につき説明する。
上記電源装置１においては、一次コイル２１及び二次コイル２２からそれぞれ引き出された複数の引出端子２３が、トランス２における同じ側から引き出されている。これにより、複数の引出端子２３をトランス２における同じ側に集約することができ、電源装置１の小型化を図りやすくなる。
【００３７】
そして、複数の引出端子２３は、互いに、横方向Ｙにずれていると共に、軸方向Ｚにもずれている。これにより、複数の引出端子２３の間の間隔を広く確保しやすい。その結果、引出端子２３同士の間の絶縁を充分に確保することができる。すなわち、複数の引出端子２３をトランス２における同じ側から引き出す構成は、複数の引出端子２３の間が接近しやすい構成でもある。しかしながら、複数の引出端子２３を、互いに軸方向と横方向とにずれた配置とすることで、引出端子２３の間の距離を確保しやすくなり、引出端子２３の間の絶縁を確保することができる。
【００３８】
また、引出端子２３は、横方向Ｙの幅よりも軸方向Ｚの厚みの方が小さい断面形状を有する。それゆえ、特に、複数の引出端子２３を、互いに軸方向Ｚにずれた配置とすることによる利点が大きい。すなわち、上記のような断面形状を有する引出端子２３を、仮に、図７に示すごとく、軸方向Ｚにずらすことなく横方向Ｙに複数並べて配置すると、横方向Ｙにおいて隣り合う引出端子２３の間の距離を確保し難い。そこで、上記のように、複数の引出端子２３を、軸方向Ｚすなわち引出端子２３の厚み方向にずらすことで、図３に示すごとく、引出端子２３の幅方向（横方向Ｙ）におけるスペースを確保して、引出端子２３の間の距離を確保することができる。
【００３９】
また、図５に示すごとく、軸方向Ｚから見たとき、複数の引出端子２３が横方向Ｙに並んだ配置となっているため、横方向Ｙの空間を有効利用して、複数の引出端子２３の間の距離を効率的に確保することができる。さらに、軸方向Ｚから見たとき、複数の引出端子２３は、互いに重なることなく横方向Ｙに並んだ配置となっているため、複数の引出端子２３の間の距離をより効率的に確保することができる。
また、軸方向Ｚから見て横方向Ｙに隣り合う引出端子２３同士が、互いに軸方向Ｚにずれた配置となっているため、横方向Ｙに隣り合う引出端子２３同士の間の距離を、より効果的に確保することができる。
【００４０】
また、図１に示すごとく、軸方向Ｚは、ベースプレート６の法線方向であるため、トランス２を安定してベースプレート６に搭載することができる。
また、電源装置１は、トランス２と一次側半導体部品３とを積層した第１積層体１１と、二次側半導体部品４とチョークコイル５とを積層した第２積層体１２とを有する。これにより、電源装置１の小型化を図ることができる。また、一次側半導体部品３と共に第１積層体１１を構成するトランス２として、複数の引出端子２３がトランス２の同じ側から引き出されたものを用いることで、配線（一次交流配線７１ａｃ及び二次交流配線７２ａｃ）を短くすることができる。その結果、電源装置１の小型化、ノイズ低減、製造コストの低減を図ることができる。
【００４１】
二次引出端子２３２は一次引出端子２３１よりも、ベースプレート６に近い位置に配置されている。そのため、二次引出端子２３２の一つである接地端子２３３を、容易にベースプレート６に接続することができる。そして、これに伴い、二次コイル２２の熱をベースプレート６に効率的に放熱することができる。
【００４２】
なお、本例においては、二次引出端子２３２のすべてを一次引出端子２３１よりもベースプレート６に近い位置に配置してあるが、二次引出端子２３２のうちの一つである接地端子２３３のみを、一次引出端子２３１よりもベースプレート６に近い位置に配置した構成とすることもできる。この場合にも、接地端子２３３を容易にベースプレート６に接続して、二次コイル２２の熱をベースプレート６に効率的に放熱する構成とすることが容易となる。
【００４３】
以上のごとく、本例によれば、トランスにおける複数の引出端子の間の絶縁を確保しつつ、小型化を図りやすい電源装置を提供することができる。
【００４４】
（実施例２）
本例は、図８に示すごとく、一次コイル２１を、二次コイル２２の軸方向Ｚにおける両側に配置してトランス２を構成した例である。
２つの一次コイル２１は、互いに電気的に直列接続されている。そして、一方の一次コイル２１と他方の一次コイル２１とから、それぞれ一つずつ引出端子２３（一次引出端子２３１）が引き出されている。そして、２つの一次引出端子２３１は、互いに軸方向Ｚにずれた位置に配置されている。
【００４５】
また、二次コイル２２から引き出された３本の引出端子２３（二次引出端子２３２）のうちの一つは、他の二つの引出端子２３（二次引出端子２３２）と、軸方向Ｚにずれた位置に配置されている。
また、二次引出端子２３２のうちの一つである接地端子２３３は、他の一つの二次引出端子２３２及び一つの一次引出端子２３１よりも、ベースプレート６から遠い位置に配置されている。
【００４６】
その他は、実施例１と同様である。なお、本例又は本例に関する図面において用いた符号のうち、実施例１において用いた符号と同一のものは、特に示さない限り、実施例１と同様の構成要素等を表す。
本例の場合にも、実施例１と同様の作用効果を奏する。
【００４７】
（実施例３）
本例は、図９に示すごとく、第１積層体１１におけるトランス２と一次側半導体部品３との積層順を逆にした例である。
すなわち、トランス２がベースプレート６と一次側半導体部品３との間に配される状態で、第１積層体１１がベースプレート６に搭載されている。
【００４８】
その他は、実施例１と同様である。なお、本例又は本例に関する図面において用いた符号のうち、実施例１において用いた符号と同一のものは、特に示さない限り、実施例１と同様の構成要素等を表す。
【００４９】
本例の場合には、トランス２をベースプレート６に近付けることができるため、トランス２の放熱性を向上させることができる。その他、実施例１と同様の作用効果を有する。
なお、第１積層体１１の組合せは、トランス２と一次側半導体部品３との組み合わせに限らず、例えば、トランス２と二次側半導体部品３との組み合わせや、トランス２とチョークコイル５との組み合わせとすることもできる。同様に、第２積層体１２の組合せも、二次側半導体部品４とチョークコイル５との組み合わせに限らず、他の組合せとすることもできる。
【００５０】
（実施例４）
本例は、図１０に示すごとく、トランス２と一次側半導体部品３と二次側半導体部品４とチョークコイル５とを、互いに積層することなく、それぞれをベースプレート６上に配置した例である。
本例においては、トランス２と一次側半導体部品３とが、ベースプレート６と平行な方向に、互いに対向して配置されている。そして、トランス２は、すべての引出端子２３を、トランス２から一次側半導体部品３側へ引き出している。これらの複数の引出端子２３も、横方向Ｙ及び軸方向Ｚにずれた状態で配置されている。
【００５１】
その他は、実施例１と同様の構成、作用効果を有する。なお、本例又は本例に関する図面において用いた符号のうち、実施例１において用いた符号と同一のものは、特に示さない限り、実施例１と同様の構成要素等を表す。
【００５２】
（実施例５）
本例は、図１１、図１２に示すごとく、複数の引出端子２３の配置を、種々変更した例である。なお、図１１、図１２は、引出方向Ｘから見た複数の引出端子２３の配置のみを表した説明図である。
【００５３】
図１１に示す態様は、軸方向Ｚから見て横方向Ｙに隣り合う引出端子２３同士が、部分的に軸方向Ｚに重なりつつ、互いに軸方向Ｚにずれた配置となっている態様である。また、一次引出端子２３１と二次引出端子２３２とが、互いに軸方向Ｚにずれた位置に配置されているが、一次引出端子２３１と二次引出端子２３２とが部分的に軸方向Ｚに重なっている。
【００５４】
図１２に示す態様は、一部の引出端子２３が、他の引出端子２３と、軸方向Ｚに重なっている態様である。また、一次引出端子２３１は、二次引出端子２３２に対して、横方向Ｙにずれることなく、一次引出端子２３１の幅方向（横方向Ｙ）の全体が二次引出端子２３２に軸方向Ｚに重なっている。
【００５５】
その他は、実施例１と同様の構成、作用効果を有する。なお、本例又は本例に関する図面において用いた符号のうち、実施例１において用いた符号と同一のものは、特に示さない限り、実施例１と同様の構成要素等を表す。
また、複数の引出端子２３の配置態様としては、上述した以外にも、種々の態様を採用することができる。
【００５６】
本発明は、上述の実施例に限られるものではなく、例えば、トランスの軸方向Ｚをベースプレートに平行となるように配置した構成や、引出端子の幅方向を軸方向とした構成等も採用することができる。また、上述の実施例を適宜組み合わせた態様とすることもできる。例えば、実施例２又は５に開示した複数の引出端子２３の配置を、実施例１、３、又は４に開示した構成の電源装置１に適用することもできる。
【符号の説明】
【００５７】
１  電源装置
２  トランス
２１  一次コイル
２２  二次コイル
２３  引出端子
３  一次側半導体部品
４  二次側半導体部品
５  チョークコイル
６  ベースプレート
Ｘ  引出方向
Ｙ  横方向
Ｚ  軸方向
【図１】
2015201961.tif 000003
【図２】
2015201961.tif 000004
【図３】
2015201961.tif 000005
【図４】
2015201961.tif 000006
【図５】
2015201961.tif 000007
【図６】
2015201961.tif 000008
【図７】
2015201961.tif 000009
【図８】
2015201961.tif 000010
【図９】
2015201961.tif 000011
【図１０】
2015201961.tif 000012
【図１１】
2015201961.tif 000013
【図１２】
2015201961.tif 000014